(57)【要約】      （修正有）【課題】ウォ−キング、ハイキング、登山、ゴルフ等のレジャー時に被冠し、行事の大会名、主催者名、記念名等の表示がなされた表示部を備えた取付部材の帽子本体に対する取付および取外しが容易かつ確実に行え、安全性が高く、帽子自体は大幅な変更を要せず、容易に製作、組付けが行え、デザイン性が優れているレジャー用帽子を提供する。【解決手段】可撓性の合成樹脂により形成され、帽子本体１の鉢巻部５、または鍔部材４の表部材２と裏部材との間に取付けられる挿入孔６が設けられた止め具部材７と、表示部８が表面に表示された基盤部９の裏面に係止部１０ａを有するピン体部１０が突成された取付部材１１とを備え、表部材２の挿入孔６に重合して設けた挿通孔１２を介して挿入孔６内にピン体部を着脱自在に係着して取付部材１１が取付けられる。【選択図】図１
0003147738.tif 000002
【実用新案登録請求の範囲】
【請求項１】
表部材と裏部材とで構成される鉢状の帽子本体と、該帽子本体の周囲に設けられる鍔部材とを有するレジャー用帽子において、
（イ）前記帽子本体の前記鉢巻部、または前記鍔部材における前記表部材と前記裏部材との間に取付けられて挿入孔を有し、可撓性を有する合成樹脂で構成された止め具部材が設けられ、
（ロ）表示部が表面に表示された平坦面を有する基盤部の裏面に係止部を有するピン体部を突成した取付部材が設けられ、そして、
（ハ）前記表部材に前記挿入孔に重合して設けた挿通孔を介して前記挿入孔内に前記ピン体部を着脱自在に係着することにより前記取付部材が取付けられる
ことを特徴とするレジャー用帽子。
【請求項２】
前記止め具部材が、前記表部材および前記裏部材に少なくとも周囲が包囲されるように縫着されるか、または接着剤を用いて前記表部材および前記裏部材に接着されることを特徴とする請求項１に記載のレジャー用帽子。
【請求項３】
前記挿入孔の周囲に、該挿入孔に連通された分周的な複数個の切溝部と、これらの切溝部間に形成されて前記ピン体部に係脱可能にされる係止爪部と、が設けられていることを特徴とする請求項１または２に記載のレジャー用帽子。
【請求項４】
前記切溝部間の外周には、円弧溝が形成されていることを特徴とする請求項１〜３の何れか１項に記載のレジャー用帽子。
【請求項５】
前記取付部材が、合成樹脂または金属により形成されることを特徴とする請求項１〜４の何れか１項に記載のレジャー用帽子。
【請求項６】
前記取付部材の周囲には、取外し時に前記止め具部材に対して間隙を確保される薄肉部が形成されていることを特徴とする請求項１〜５の何れか１項に記載のレジャー用帽子。
【請求項７】
前記挿通孔、または前記挿通孔と該挿通孔に連通して前記切溝部とに重合可能に前記表部材に設けた連通孔部の内縁が補強糸により縁絡げ処理されていることを特徴とする請求項１〜６の何れか１項に記載のレジャー用帽子。
【考案の詳細な説明】
【技術分野】
【０００１】
本考案はレジャー用帽子に関し、ウォ−キング、ハイキング、登山、ゴルフ、釣り等のレジャー時に被冠し、最適に使用され、例えば行事の大会名、主催者名、記念名等の表示がなされた表示部を備えた取付部材の帽子本体に対する取付および取外しが容易かつ確実に行え、安全性が高く、帽子自体は大幅な変更を要することなく容易に製作、組付けが行え、帽子へのデザイン性が優れたものにする。
【背景技術】
【０００２】
従来、例えば行事の大会名、主催者名、記念名、各種の表示がなされたバッジは、衣服、帽子に付けられることが多い。このバッジを衣服や帽子に取付けたり、取外しを行うのに、例えばばね性を有するピン状部を鉤部に係脱可能に設けた安全ピンを用いて行うものがあった（例えば特許文献１参照）。
【０００３】
また、雄ねじ部を有するスタッドをバッジの裏面に設け、雌ねじ孔を有する筒状の突起部を止めねじ具内に設け、止めねじ具本体を回動操作することにより、この突起部の前記雌ねじ孔内に前記バッジの前記雄ねじ部を螺入したり、螺退し、バッジの取付けと、取外しが行われるバッジの止めねじ具があった（例えば特許文献２参照）。
【特許文献１】実開平７−３９５１５号公報
【特許文献２】特開平１０−１４６２１号公報
【考案の開示】
【考案が解決しようとする課題】
【０００４】
しかしながら、特許文献１に記載の従来のバッジは、安全ピンを用いてバッジを衣服や帽子に取付け、および取外しが行われるものであるので、取付けおよび取外しには多くの時間および手間がかかるものであった。
【０００５】
また、安全ピンを用いてバッジの取付けおよび取外しが行われるものは、バッジに不用意に外力が加わると、ピン状部が鉤部から外れ、バッジが紛失されたり、ピン状部が身体に突き刺さり、ケガをすることがあった。
【０００６】
また、バッジの裏面に設けたスタッドの外周の雄部ねじ部に、回動操作を行うことにより止めねじ具の雌ねじ孔を螺入したり、または螺退させる特許文献２に記載の上記従来のバッジの止めねじ具は、バッジの取付けおよび取外しに止めねじ具を回動操作しなければならないので、同様に多くの時間および手間がかかるものであった。
【０００７】
さらには、特許文献２に記載の従来のバッジの止めねじ具は、複雑な構造であり、部品点数も多いので、製作および組付けには多くの時間と手間がかかり、製作コストは高いものであった。
【０００８】
本考案は上記従来の欠点を解決し、バッジとしての表示部が帽子から脱落することなく、容易かつ確実に取付けが行え、取付性と操作性が良好であり、しかも、帽子自体は大幅な変更を要することなく容易に製作、組付けが行え、さらには、帽子のデザイン性が優れたレジャー用帽子を提供することを目的とする。
【課題を解決するための手段】
【０００９】
本考案の請求項１に記載の考案は、表部材と裏部材とで構成される鉢状の帽子本体と、該帽子本体の周囲に設けられる鍔部材とを有するレジャー用帽子において、
（イ）前記帽子本体の前記鉢巻部、または前記鍔部材における前記表部材と前記裏部材との間に取付けられて挿入孔を有し、可撓性を有する合成樹脂で構成された止め具部材が設けられ、
（ロ）表示部が表面に表示された平坦面を有する基盤部の裏面に係止部を有するピン体部を突成した取付部材が設けられ、そして、
（ハ）前記表部材に前記挿入孔に重合して設けた挿通孔を介して前記挿入孔内に前記ピン体部を着脱自在に係着することにより前記取付部材が取付けられる
ことを特徴とする。
【００１０】
また、本考案の請求項２に記載の考案は、請求項１において、前記止め具部材が、前記表部材および前記裏部材に少なくとも周囲が包囲されるように縫着されるか、または接着剤を用いて前記表部材および前記裏部材に接着されることを特徴とする。
【００１１】
また、本考案の請求項３に記載の考案は、請求項２または３において、前記挿入孔の周囲に、該挿入孔に連通された分周的な複数個の切溝部と、これらの切溝部間に形成されて前記ピン体部に係脱可能にされる係止爪部と、が設けられていることを特徴とする。
【００１２】
また、本考案の請求項４に記載の考案は、請求項１〜３の何れか１項において、
前記切溝部間の外周には、円弧溝が形成されていることを特徴とする。
【００１３】
また、本考案の請求項５に記載の考案は、請求項１〜４の何れか１項において、
前記取付部材が、合成樹脂または金属により形成されることを特徴とする。
【００１４】
また、本考案の請求項６に記載の考案は、請求項１〜５の何れか１項において、
前記取付部材の周囲には、取外し時に前記止め具部材に対して間隙を確保される薄肉部が形成されていることを特徴とする。
【００１５】
また、本考案の請求項７に記載の考案は、請求項１〜６の何れか１項において、前記挿通孔、または前記挿通孔と該挿通孔に連通して前記切溝部とに重合可能に前記表部材に設けた連通孔部の内縁が補強糸により縁絡げ処理されていることを特徴とする。
【考案の効果】
【００１６】
本考案の請求項１に記載の考案によれば、表部材と裏部材とで構成される鉢状の帽子本体と、該帽子本体の周囲に設けられる鍔部材とを有するレジャー用帽子において、前記帽子本体の前記鉢巻部、または前記鍔部材における前記表部材と前記裏部材との間に取付けられて挿入孔を有し、可撓性を有する合成樹脂で構成された止め具部材が設けられ、表示部が表面に表示された平坦面を有する基盤部の裏面に係止部を有するピン体部を突成した取付部材が設けられ、そして、前記表部材に前記挿入孔に重合して設けた挿通孔を介して前記挿入孔内に前記ピン体部を着脱自在に係着することにより前記取付部材が取付けられるので、取付部材の基盤部の裏面に設けたピン体部が止め具部材に設けられた挿入孔内に係入されることによりバッジとしての表示部が帽子から脱落することなく、容易かつ確実に取付けが行え、取付性と操作性が良好になる。しかも、帽子自体は、鉢巻部、または鍔部材における表部材と裏部材との間に合成樹脂製の止め具部材を取付けるだけで済むので、大幅な変更を要することなく容易に製作、組付けが行える。
【００１７】
また、本考案の請求項２に記載の考案によれば、請求項１において、前記止め具部材が、前記表部材および前記裏部材に少なくとも周囲が包囲されるように縫着されるか、または接着剤を用いて前記表部材および前記裏部材に接着されるので、表示部が基板部の表面に設けられた取付部材の裏面に突成されたピン体部を、帽子本体の前記鉢巻部、または前記鍔部材における前記表部材と前記裏部材との間に取付けられている止め具部材の挿入孔内に係入したり、脱係させる場合に、止め具部材が不用意にずれ動くことはなく、容易かつ確実に取付部材の係脱操作が行える。
【００１８】
また、本考案の請求項３に記載の考案によれば、請求項２または３において、前記挿入孔の周囲に、該挿入孔に連通された分周的な複数個の切溝部と、これらの切溝部間に形成されて前記ピン体部に係脱可能にされる係止爪部と、が設けられているので、挿入孔内に挿入されるピン体部は切溝を設けたことにより半径方向の充分な可撓性を発揮する複数の係止爪片により弾力的に係止される。しかも、帽子自体は鉢巻部、または鍔部材における表部材と裏部材との間に合成樹脂製の止め具部材を取付けるだけで済むので、大幅な変更を要することなく容易に製作、組付けが行える。さらには、表示部には、表示が種々の図形、文字、数字、多種の色彩が施されたり、種々の形状に形成されたり、また写真を印刷する等して形成されるので、デザイン的に変化があり、おしゃれを楽しむことができる。
【００１９】
また、本考案の請求項４に記載の考案によれば、請求項１〜３の何れか１項において、前記切溝部間の外周には、円弧溝が形成されているので、鍔部に形成される係止爪片は挿入孔に連通して設けた切溝部間の外周に円弧溝が設けられることにより周方向の可撓性が十分に発揮されるため、取付部材の裏面に突設されたピン体部を複数個の係止爪片により弾力的に係止する。また、取付部材は、円弧溝が設けられることにより周方向に可撓性が発揮される複数個の係止爪片から脱係されるため、止め具部材からの取り外しが容易に行える等、操作性が良好になる。しかも、帽子自体は鉢巻部、または鍔部材における表部材と裏部材との間に合成樹脂製の止め具部材を取付けるだけで済むので、大幅な変更を要することなく容易に製作、組付けが行える。さらには、表示部には、表示が種々の図形、文字、数字、多種の色彩が施されたり、種々の形状に形成されたり、また写真を印刷する等して形成されるので、デザイン的に変化があり、おしゃれを楽しむことができる。
【００２０】
また、本考案の請求項５に記載の考案によれば、請求項１〜４の何れか１項において、前記取付部材が、合成樹脂または金属により形成されるので、取付部材の基盤部の裏面に設けたピン体部を可撓性を有する合成樹脂により形成された止め具部材に設けた挿入孔内に迅速かつ滑らかに係脱操作が行われる。
【００２１】
また、本考案の請求項６に記載の考案によれば、請求項１〜５の何れか１項において、前記取付部材の周囲には、取外し時に前記止め具部材に対して間隙を確保される薄肉部が形成されているので、止め具部材の挿入孔から取付部材のピン体部を脱係する場合に、薄肉部と止め具部材との間に爪先を差し込んで、取付部材と止め具部材との間の間隙を容易に拡大させ、挿入孔からピン体部を容易かつ確実に脱係させることができる。
【００２２】
また本考案の請求項７に記載の考案によれば、請求項１〜６の何れか１項において、前記挿通孔、または前記挿通孔と該挿通孔に連通して前記切溝部とに重合可能に前記表部材に設けた連通孔部の内縁が補強糸により縁絡げ処理されているので、挿通孔、または前記挿通孔と該挿通孔に連通して前記前記切溝部とに重合可能に前記表部材に設けた連通孔部の内縁は補強糸により糸のほつれがなく、強固に補強される。従って取付部材のピン体部を挿入孔に係脱する場合に、表部材に設けた挿通孔または連通孔部の内縁からほつれた糸が絡みつくことがなく、係脱操作が円滑かつ確実に行える。
【考案を実施するための最良の形態】
【００２３】
以下、図面に従って本考案の実施の最良の形態により、本考案の詳細を説明する。
【００２４】
＜実施形態１＞
図１は本考案のレジャー用帽子の実施形態１を示す斜視図、図２は同じく本実施形態１を構成する止め具部材に取付部材を取付けた状態の拡大断面図、図３は同じく本実施形態１を構成する取付部材を示す下面図、図４は同じく本実施形態１を構成する止め具部材に取付部材の他の変形例を取付けた状態の拡大断面図、図５は同じく下面図である。
【００２５】
本実施形態１のレジャー用帽子Ａは、布帛よりなる表部材２と布帛よりなる裏部材３とで構成される鉢状の帽子本体１と、該帽子本体１の周囲に設けられる鍔部材４とを有する点で従来のものと同様の構成である。そして、前記表部材２、前記裏部材３の形状、および成形材料については従来のものと同様の構成である。
【００２６】
しかしながら、本実施形態１のレジャー用帽子Ａでは、前記帽子本体１の前記鉢巻部５、または前記鍔部材４における前記表部材２と前記裏部材４との間に取付けられて挿入孔６を有し、可撓性を有する合成樹脂で構成された止め具部材７が設けられ、表示部８が表面に表示された平坦面９ａを有する基盤部９の裏面に係止部１０ａを有するピン体部１０を突成した取付部材１１が設けられ、そして、前記表部材２に前記挿入孔６に重合して設けた挿通孔１２を介して前記挿入孔６内に前記ピン体部１０を着脱自在に係着することにより前記取付部材１１が取付けられる。
【００２７】
そして、このレジャー用帽子Ａは、例えばウォ−キング、ハイキング、登山、ゴルフ、釣り等のレジャー時に被冠し、最適に使用されが、これらの用途を限定するものではなく、自由に使用される。
【００２８】
前記止め具部材７が、少なくても周囲が包囲されるように前記表部材２および前記裏部材３に縫着される（図１参照）。前記表部材２および前記裏部材３に対する止め具部材７の固着手段は、前述のように縫着については、代表的な例示であり、これに限ることなく、例えば接着剤を用いて前記表部材２および前記裏部材３に接着されてもよい。このように、止め具部材７を前記表部材２および前記裏部材３に固着するのは、表示部８が基盤部９の表面に設けられた取付部材１１の裏面に突成されたピン体部１０を、帽子本体１の前記鉢巻部５、または前記鍔部材４における前記表部材２と前記裏部材３との間に取付けられている止め具部材７の挿入孔６内に係入したり、脱係させる場合に、止め具部材７が不用意にずれ動くことはなく、容易かつ確実に取付部材の係脱操作を行うためである。
【００２９】
前記取付部材１１が、合成樹脂または金属により形成される。このように、取付部材１１が、合成樹脂または金属により形成したのは、前記取付部材１１の基盤部９の裏面に設けたピン体部１０を可撓性を有する合成樹脂により形成された止め具部材７に設けた挿入孔６内に係脱操作する場合に、迅速かつ滑らかに係脱操作を行うためである。
【００３０】
また、本実施形態１では、図１、図３に示すように取付部材１１の前記基盤部９が円盤状に形成されているが、基盤部９の形状は図示するものに限ることなく、その形状は平面視楕円、三角形、四角形、五角形、六角形等の多角形、星形、ハート形等その形状が限定されるものではない。また、基盤部９の表面に設けられる表示部８における表示は、例えば行事の大会名、主催者名、記念名等の表示がなされたり、種々の図形、文字、数字等が表示されたり、または多種の色彩が施こされたり、また写真を印刷することにより、デザイン的に変化があり、おしゃれを楽しむことができる。
【００３１】
また前記ピン体部１０は、上方から下方に向かって次第に拡大される傾斜断面により図１、図２に示されるように、前記係止部１０ａが形成されるが、ピン体部１０の断面形状は図示は代表的な例示であり、これに限られない。要はピン体部１０に挿入孔６と係脱可能になる形状であればよい。
【００３２】
前記挿通孔１２の内縁は図１に示すように補強糸１３により縁絡げ処理される。このように、挿通孔１２の内縁は補強糸１３により縁絡げ処理したのは、挿通孔１２に重合する取付部材１１のピン体部１０を挿入孔６に係脱する場合に、表部材２に設けた挿通孔１２の内縁からほつれた糸が絡みつくことがなく、係脱操作が円滑かつ確実に行うためである。
【００３３】
本考案のレジャー用帽子Ａの実施形態１は以上の構成からなるので、バッジとしての表示部８が基盤部９の表面側に表示された合成樹脂または金属により形成された取付部材１１を表部材２と裏部材３とで構成される鉢状の帽子本体１の鉢巻部５、または鍔部材４における前記表部材２と前記裏部材３との間に取付けられている止め具部材７に取付けるのには、取付部材１１の基盤部９の裏面に突成されたピン体部１０を止め具部材７に設けられている挿入孔６内に表部材２に前記挿入孔６に重合されるように設けられた挿通孔１２を介して押込み、係入することにより、取付部材１１を止め具部材７に取付ける（図２参照）。
【００３４】
この際、取付部材１１は合成樹脂または金属により形成され、止め具部材７は可撓性を有する合成樹脂により形成されているので、止め具部材７は可撓性が発揮されるため、挿入孔６内へのピン体部１０の係入は弾力的にワンタッチにて行え、係入操作は円滑かつ迅速に行え、取付性が向上する。
【００３５】
そして、前記止め具部材７が、少なくても周囲が包囲されるように前記表部材２および前記裏部材３に縫着されるので、表示部８が基盤部９の表面に設けられた取付部材１１の裏面に突成されたピン体部１０を、帽子本体１の前記鉢巻部５、または前記鍔部材４における前記表部材２と前記裏部材３との間に取付けられた止め具部材７の挿入孔６内に係入させる場合に、止め具部材７が不用意にずれ動いたり、設置方向が変更されることはなく、容易かつ確実に取付部材１１の係入操作が行える。ただし、前記表部材２および前記裏部材３に対する止め具部材７の固着手段は、前述のように縫着されることにより行われているが、これは代表的な例示であり、これに限ることなく、止め具部材７は例えば接着剤を用いて前記表部材２および前記裏部材３に接着されてもよい。
【００３６】
しかも、表部材２に前記挿入孔６に重合されるように設けられた挿通孔１２の内縁が補強糸１３により縁絡げ処理されているので、挿通孔１２の内縁は補強糸１３により糸のほつれがなく、強固に補強される。従って取付部材１１のピン体部１０を挿入孔６に係脱する場合に、表部材２に設けた挿通孔１２の内縁からほつれた糸が絡みつくことがなく、係脱操作が円滑かつ確実に行える。
【００３７】
そして、ウォ−キング、ハイキング、登山、ゴルフ、釣り等のレジャー時に被冠し、使用した場合に、取付部材１１の基盤部９の表面に設けられる表示部８における表示は、例えば行事の大会名、主催者名、記念名等の表示がなされたり、種々の図形、文字、数字等が表示されたり、または多種の色彩が施こされたり、また写真を印刷することにより、デザイン的に変化があり、おしゃれを楽しむことができる。
【００３８】
また、取付部材１１の基盤部９の裏面に設けたピン体部１０が止め具部材７に設けられた挿入孔６内に係入されることにより、安全ピンを用いてバッジが帽子等に取付けられた特許文献１に記載の従来の取付方法とは異なり、外力が加わってもバッジとしての表示部８が帽子から脱落したり、ケガはなく、容易かつ確実に取付けが行え、取付性と操作性が良好になるとともに構造堅牢に安全性が高い取付けが行える。しかも、帽子自体は、鉢巻部５、または鍔部材４における表部材２と裏部材３との間に合成樹脂製の止め具部材７を取付けるだけで済むので、大幅な変更を要することなく容易に製作、組付けが行える。
【００３９】
バッジとしての表示部８に表示されている表示内容を異なる新たなものと交換する等の必要から止め具部材７から取付部材１１を取外すのには、取付部材１１のピン体部１０を止め具部材７の挿入孔６から引き抜いて脱係させれば、止め具部材７から取付部材１１を取り外すことができる。
【００４０】
この際、図４、図５に示す本実施形態１の変形例のように、取付部材１１の周囲に、薄肉部９ｂが形成されている場合には、ピン体部１０を止め具部材７の挿入孔６から脱係させるのに、薄肉部９ｂと止め具部材７との間に爪先を差し込むんで、止め具部材７と取付部材１１との間の間隙ｔを拡大させ、挿入孔６からピン体部１０の係止部１０ａを容易かつ確実に脱係させることができる。この時、図示では円盤状の基盤部９の周囲に薄肉部９ｂを形成することにより間隙ｔを増大するようにしているが、この間隙ｔを確保するのには図示されるような段差を設けるようにして間隙ｔを確保しても良いし、図には示さないがテーパを基盤部９の周囲に設けるようにして間隙ｔを確保してもよい。
【００４１】
＜実施形態２＞
図６は本考案のレジャー用帽子Ａの実施形態２を示す。この実施形態２では、止め具部材７が、前記挿入孔６の周囲に、該挿入孔６に連通された分周的な複数個、図では４個の切溝部２０と、これらの切溝部２０間に形成されて前記ピン体部１０に係脱可能にされる係止爪片２１と、が設けられている点が前記実施形態１とは異なる構成である。
【００４２】
そして、本実施形態２では、係止爪片２１は分周的な複数個、図では４個の切溝部２０間に設けられることにより半径方向Ｒの可撓性が十分に発揮され、取付部材１１の基盤部９の裏面に突設されたピン体部１０を複数個、図では４個の係止爪片２１により弾力的に係止する。また、切溝部２０が連通されている挿入孔６内にピン体部１０が係入された取付部材１１を、切溝部２０が設けられることにより半径方向Ｒに可撓性が発揮される複数個の係止爪片２１からピン体部１０を脱係させると、取付部材１１の止め具部材７に対する取付および取り外しが容易に行え、直ちに使用に供せる等、操作性が良好になる等の作用・効果を奏する。
【００４３】
＜実施形態３＞
図７は本考案のレジャー用帽子Ａの実施形態３を示す。この実施形態３では、前記切溝部２０,２０間の外周には、円弧溝２２が形成されている点で前記実施形態１および実施形態２とは異なる構成である。
【００４４】
そして、この実施形態３では、レジャー用帽子Ａの止め具部材７に形成される係止爪片２１は挿入孔６に連通して設けた切溝部２０,２０間の外周に円弧溝２２が設けられることにより周方向Ｓの可撓性が十分に発揮され、円盤部９の裏面に突設されたピン体部１０を複数個の係止爪片２１により弾力的に係止する。従って、安全ピンを用いた特許文献１に記載の従来のバッジのように、表示部８を有する取付部材１１が紛失されることはない。そして、使用時には切溝部２０が連通されている挿入孔６内にピン体部１０が係入された取付部材１１を、円弧溝２２が設けられることにより周方向Ｓに可撓性が発揮される複数個の係止爪片２１から脱係させることにより、止め具部材７からの取り外しや取付けが容易に行え、直ちに使用に供せる等、操作性が良好になる等の作用・効果を奏する。
【００４５】
なお、図示する上記実施形態では、１つの挿入孔６がレジャー用帽子Ａに設けられ、前記表部材２には前記挿入孔６に重合可能に１つの挿通孔１２が設けられることにより、取付部材１１の裏面に設けられたピン体部１０が係脱可能になる構成になっているが、挿入孔６と挿通孔７の設置場所は上記説明に限らず、しかも、挿入孔６と挿通孔１２との設置個数の増減変更は自由に行える。
【産業上の利用可能性】
【００４６】
本考案は、バッジとしての表示部が帽子から脱落することなく、容易かつ確実に取付けが行え、取付性と操作性が良好であり、しかも、帽子自体は大幅な変更を要することなく容易に製作、組付けが行え、さらには、帽子のデザイン性が優れているという用途・機能に適する。
【図面の簡単な説明】
【００４７】
【図１】図１は本考案のレジャー用帽子の実施形態１を示す斜視図である。
【図２】図２は同じく本実施形態１を構成する止め具部材に取付部材を取付けた状態の拡大断面図である。
【図３】図３は同じく本実施形態１を構成する取付部材を示す下面図である。
【図４】図４は同じく本実施形態１を構成する止め具部材に取付部材の他の変形例を取付けた状態の拡大断面図である。
【図５】図５は同じく下面図である。
【図６】図６は同じく本考案のレジャー用帽子の実施形態２を示し、止め具部材を取り付けた状態を説明的に示す拡大正面図である。
【図７】図７は同じく本考案のレジャー用帽子の実施形態３を示し、止め具部材を取り付けた状態を説明的に示す拡大正面図である。
【符号の説明】
【００４８】
１      帽子本体
２      表部材
３      裏部材
４      鍔部材
５      鉢巻部
６      挿入孔
７      止め具部材
８      表示部
９      基盤部
１０    ピン体部
１０ａ  係止部
１２    挿通孔
１３    補強糸
２０    切溝部    
２１    係止爪片    
２２    円弧溝
２３    連通孔
Ａ      レジャー用帽子
【図１】
0003147738.tif 000003
【図２】
0003147738.tif 000004
【図３】
0003147738.tif 000005
【図４】
0003147738.tif 000006
【図５】
0003147738.tif 000007
【図６】
0003147738.tif 000008
【図７】
0003147738.tif 000009